(57)【要約】【課題】ディスクを支持するパネルの下端部がシャーシに枢支され、ディスクを立てて記録又は再生する装置にて、装置全体の前後幅を厚くすることを防ぐ。【解決手段】下端部がシャーシ１に枢支２０されたパネル２の内側には、上からディスクＤが挿入され下端部が開口したホルダ４が設けられている。パネル２は開き位置から閉じてホルダ４がシャーシ１に接するとともに、ディスクＤの中心孔Ｄ１がターンテーブル６の先端部に接近した第１の位置と、該第１の位置から更に閉じられホルダ４がシャーシ１に接した状態でディスクＤがターンテーブル６に装着される第２の位置を往動可能に設けられている。ストッパ３はパネル２に枢支されて、自由端部がホルダ４の下端部内に進入してディスクＤを受ける。シャーシ１には、パネル２の第１の位置から第２の位置への回動に伴って、ストッパ３をディスクＤとの当接が外れる向きに回動させる突起１０が設けられている。【選択図】    図８
2004272964.tif 000002
【特許請求の範囲】
【請求項１】
ディスクＤを保持するシャーシ（１）と、シャーシ（１）に下端部が枢支（２０）されたパネル（２）と、パネル（２）又はシャーシ（１）に設けられてディスク中心部に嵌まるターンテーブル（６）と、ディスクＤの一端を受けてディスクＤの中心孔Ｄ１とターンテーブル（６）の先端部を対向させるとともにディスクＤがターンテーブル（６）に装着された状態でディスクＤの一端との当接が外れるストッパ（３）を具えたディスク記録又は再生装置に於いて、
パネル（２）の内側には、一端部からディスクＤが挿入され他端部が開口したホルダ（４）が設けられ、
パネル（２）は、開き位置から閉じてホルダ（４）がシャーシ（１）に接するとともに、ディスクＤの中心孔Ｄ１がターンテーブル（６）の先端部に接近した第１の位置と、該第１の位置から更に閉じられホルダ（４）がシャーシ（１）に接した状態でディスクＤがターンテーブル（６）に装着される第２の位置を往動可能に設けられ、
ストッパ（３）はパネル（２）に枢支（３２）されて、自由端部がホルダ（４）の他端部内に進入してディスクＤを受け、
ストッパ（３）とシャーシ（１）との間には、パネル（２）の第１の位置から第２の位置への回動に伴って、ストッパ（３）をディスクＤとの当接が外れる向きに回動させる解除機構が設けられたことを特徴とするディスク記録又は再生装置。
【請求項２】
解除機構は、シャーシ（１）に設けられてストッパ（３）に接する突起（１０）を含む請求項１に記載のディスク記録又は再生装置。
【請求項３】
パネル（２）にはクランパ（８）が設けられ、パネル（２）の第１の位置から第２の位置への回動に伴って、クランパ（８）はシャーシ（１）上のターンテーブル（６）との間で、ディスクを挟持する請求項１又は２に記載のディスク記録又は再生装置。
【発明の詳細な説明】
【０００１】
【発明の属する技術分野】
本発明は、ディスクを立てて保持するディスク記録又は再生する装置に関する。
【０００２】
【従来の技術】
図１２及び図１３は、ディスクＤを立てて記録再生する装置の側面断面図である。これは、ディスクＤを立てた状態で挿入するケース状のシャーシ（１）の上端部に、ターンテーブル（６）を取り付けたパネル（２）を枢支（２０）している。シャーシ（１）は基台（９）上に固定されており、パネル（２）は基台（９）上のカム板（９０）の移動により回動される。シャーシ（１）のターンテーブル（６）との対向面は開口（１８）しており、ターンテーブル（６）は該開口（１８）を通ってディスクＤの中心孔Ｄ１に嵌まる。
シャーシ（１）の下端部は開口しており、基台（９）上にはシャーシ（１）の下端部に進入してディスクＤの下端を支持するストッパ（３）がバネ付勢されて枢支（３２）されている。パネル（２）には、ストッパ（３）に接する突起（２５）が設けられている。
シャーシ（１）にディスクＤを挿入する際には、図１２に示すように、パネル（２）を開く。ターンテーブル（６）はシャーシ（１）から離れ、ストッパ（３）はディスクＤの下端を受ける。
この状態で、カム板（９０）を移動させて、パネル（２）を閉じる。ディスクＤがストッパ（３）に支持されて、高さ方向の位置決めがされているから、ターンテーブル（６）が開口（１８）を通ってディスクＤの中心孔Ｄ１に正確に嵌まる。この後に、図１３に示すように、パネル（２）の突起（２５）がストッパ（３）を押して時計方向に回動させる。ストッパ（３）がディスクＤの下端から離れ、ディスクＤが回転できる。尚、シャーシ（１）を挟んで、パネル（２）の反対側には、ターンテーブル（６）との間でディスクＤを挟持するクランパ（図示せず）が設けられている。
【０００３】
一方、近年、外観上のデザインに鑑みて、図１１に示すディスク記録又は再生装置が提案されている。これは、シャーシ（１）にパネル（２）の下端部を枢支（２０）しており、シャーシ（１）上には立ったディスクＤを回転させるターンテーブル（６）が設けられている。ディスクＤはパネル（２）の裏面に載置されて、パネル（２）をシャーシ（１）に向けて閉じると、ディスクＤがターンテーブル（６）に嵌まる。
しかし、パネル（２）にディスクＤを載置しただけでは、パネル（２）を回動させると、ディスクＤがパネル（２）から脱落するから、パネル（２）の裏面にディスクＤの下端を支持する受け片（３０）を設けている。ターンテーブル（６）は周知の如く、先端部が細くなったテーパ面（６０）を形成しており、パネル（２）を閉じると、ディスクＤの中心孔Ｄ１周縁がテーパ面（６０）に当たる。ディスクＤが稍持ち上げられて、受け片（３０）から離れ、ディスクＤは回転できる。
この場合、ターンテーブル（６）をボールチャッキング構造とし、ターンテーブル（６）に手で直接ディスクＤを取り付けることも考えられる。このボールチャッキング構造とは、図１４に示すように、ターンテーブル（６）の側面内に設けたボール（６１）を圧縮バネ（６２）により外向きに付勢し、該ボール（６１）をディスクＤの中心孔Ｄ１に挿入し、ディスクＤを保持する構造である。しかし、手でディスクＤを装着する際に、ディスク信号面を傷つける虞れがある。従って、ディスク信号面を保護する点から、図１１に示す構成が採用される。
【０００４】
【特許文献１】
特開平１１−２７３２１８号（第５図、第６図）
【０００５】
【発明が解決しようとする課題】
図１１に示す装置では、ディスクＤを確実に持ち上げて受け片（３０）から離すには、ディスク持上げ量を大きく設ければよいが、この為にはテーパ面（６０）を長くする必要がある。しかし、これではターンテーブル（６）が高くなり、装置全体の前後幅が厚くなる虞れがある。
この点に鑑みて、図１２及び図１３に示したストッパ（３）をパネル（２）の下端部にそのまま取り付ける構成も考えられる。しかし、パネル（２）は下端部が枢支（２０）されているから、かかる構成では、パネル（２）を閉じると、まずストッパ（３）が外れ、その後にディスクＤがターンテーブル（６）に嵌まる。これでは、ディスクＤがパネル（２）から脱落する。換言すれば、図１２及び図１３に示す構成は、パネル（２）がシャーシ（１）の上端部に枢支（２０）されているから、ディスクＤがターンテーブル（６）に嵌まった後に、ストッパ（３）がディスクＤから外れるのである。パネル（２）の下端部がシャーシ（１）に枢支（２０）された装置に、図１２及び図１３の構成をそのまま適用しても、ディスクがターンテーブル（６）に嵌まるまで、ディスクＤを正確に保持する効果は得られない。
本発明の目的は、ディスクを支持するパネル（２）の下端部がシャーシ（１）に枢支（２０）され、ディスクを立てた状態で記録又は再生する装置にて、装置全体の前後幅を厚くすることを防ぐことにある。
【０００６】
【課題を解決する為の手段】
下端部がシャーシ（１）に枢支（２０）されたパネル（２）の内側には、一端部からディスクＤが挿入され他端部が開口したホルダ（４）が設けられ、
パネル（２）は、開き位置から閉じてホルダ（４）がシャーシ（１）に接するとともに、ディスクＤの中心孔Ｄ１がターンテーブル（６）の先端部に接近した第１の位置と、該第１の位置から更に閉じられホルダ（４）がシャーシ（１）に接した状態でディスクＤがターンテーブル（６）に装着される第２の位置を往動可能に設けられ、
ストッパ（３）はパネル（２）に枢支されて、自由端部がホルダ（４）の他端部内に進入してディスクＤを受け、
ストッパ（３）とシャーシ（１）との間には、パネル（２）の第１の位置から第２の位置への回動に伴って、ストッパ（３）をディスクＤとの当接が外れる向きに回動させる解除機構が設けられている。
【０００７】
【作用及び効果】
パネルの開き状態
パネル（２）の内側に設けられたホルダ（４）の上から、ディスクＤを挿入する。ディスクＤは下端が、ストッパ（３）に受けられる。ホルダ（４）が設けられていることにより、ディスクＤはパネル（２）から脱落しない。
パネルの第１の位置
パネル（２）を閉じ、パネル（２）が第１の位置に達すると、ホルダ（４）がシャーシ（１）に接する。ディスクＤの中心孔Ｄ１がターンテーブル（６）の先端部に接近する。ディスクＤは下端が、ストッパ（３）に受けられて、ディスクＤの中心孔Ｄ１は、ターンテーブル（６）の先端部と、略同じ高さである。
パネルの第２の位置
パネル（２）を第１の位置から更に閉じても、ホルダ（４）がシャーシ（１）に接しているから、ホルダ（４）は動かない。パネル（２）の閉じ動作により、ディスクＤは、ターンテーブル（６）に装着される。ストッパ（３）は解除機構により、ディスクＤとの当接が解除されて、ディスクＤはストッパ（３）に擦れることなく回転できる。
従って、ターンテーブル（６）のテーパ面（６０）を長くしなくても、ディスクＤをストッパ（３）から離して、ターンテーブル（６）に確実に装着でき、装置全体の前後幅を厚くすることを防ぐことができる。
【０００８】
【発明の実施の形態】
以下、本発明の一例を図を用いて詳述する。
図１及び図２は、ディスク記録又は再生装置の斜視図であり、図１はパネル（２）が開いた状態を、図２は閉じた状態を夫々示す。ターンテーブル（６）及びピックアップ（６５）が取り付けられたシャーシ（１）には、パネル（２）の下端部が枢支（２０）されている。パネル（２）を閉じた状態では、パネル（２）の背面は、シャーシ（１）の前面と略同一面内に位置する。ディスクＤは、パネル（２）が開いた状態で、パネル（２）の内側に挿入される。
【０００９】
図３は、シャーシ（１）の前面を図１のＡ方向から見た図であり、図４は、パネル（２）を図１のＢ方向、即ち裏側から見た図である。シャーシ（１）にはロックレバー（１３）が、ホルダ（４）には鈎片（４７）が設けられ、パネル（２）を閉じた状態で、ロックレバー（１３）が鈎片（４７）に係合してパネル（２）がシャーシ（１）にロックされる。
図３のシャーシ（１）上にて、ターンテーブル（６）の下方には、第１凹面（１１）が形成され、該第１凹面（１１）内に第１凹面（１１）よりも深い第２凹面（１２）が形成されている。第１凹面（１１）上にて第２凹面（１２）の上縁部には、後記のストッパ（３）を回動させる突起（１０）が設けられている。
図４に示すように、パネル（２）の裏面には、ディスクＤが上から挿入されるホルダ（４）が設けられている。ホルダ（４）は、パネル（２）に対向した壁板（４１）と、該壁板（４１）の下端部に設けられ下面が開口したポケット部（４０）と、該ポケット部（４０）の下方に位置し、パネル（２）に枢支（４３）される脚片（４２）（４２）を具えている。
ポケット部（４０）にディスクＤが挿入され、該ポケット部（４０）の周壁にディスク面が受けられる。ポケット部（４０）の下端部には、切欠き（４６）が形成され、該切欠き（４６）内にてホルダ（４）上には、ストッパ（３）が枢支される。
【００１０】
図５は、パネル（２）とストッパ（３）の斜視図である。ストッパ（３）は、枢軸（３２）と、該枢軸（３２）からパネル（２）に向かって延びた受け片（３０）と、該受け片（３０）の長手方向略中央部から上向きに延びた押され片（３１）を一体に設けている。受け片（３０）は、ポケット部（４０）の下面開口から露出したディスクＤの下端を受ける。枢軸（３２）はパネル（２）から突出した突片（２２）（２２）に回動自在に嵌まり、枢軸（３２）には受け片（３０）をディスクＤの下端に押圧するネジリバネ（図示せず）が嵌まっている。
壁板（４１）の上端部には、円孔（４４）が開設され、該円孔（４４）からパネル（２）に取り付けられたクランパ（８）が露出する。クランパ（８）は、図６に示すように、パネル（２）の開閉方向に稍移動可能に設けられ、内部に磁石（８０）を設けている。パネル（２）が閉じた状態で、該磁石（８０）が金属製のターンテーブル（６）と吸引して、該吸引力にてディスクＤを挟持する。クランパ（８）の構成は周知であり、以降の記載ではクランパ（８）の説明及び図示を省く。
【００１１】
図５に示すように、パネル（２）上にてストッパ（３）の奥側には、板バネ（５）が取り付けられ、該板バネ（５）は先端部が壁板（４１）に接してホルダ（４）を枢支部（４３）を中心としてパネル（２）から離れる向きに押す。図７は、図５をＥ−Ｅ線を含む面にて破断した断面図である。壁板（４１）の上端部からは爪片（４５）が設けられ、該爪片（４５）はパネル（２）に開設された孔（２１）を通って、パネル（２）に引掛かる。これにより、ホルダ（４）は板バネ（５）に押された稍傾いた状態を保ち、パネル（２）の開閉時にホルダ（４）がガタ付くことはない。
【００１２】
以下、パネル（２）を閉じる動作を示す。図８乃至図１０は、パネル（２）の開閉動作を示す断面図であり、シャーシ（１）を図３のＤ−Ｄ線を含む面にて、パネル（２）を図４のＤ−Ｄ線を含む面にて夫々破断している。
パネルの開き状態
図８（ａ）に示すように、パネル（２）が開いた状態にて、ホルダ（４）の上から、ディスクＤを挿入する。ホルダ（４）は前記の如く、爪片（４５）がパネル（２）に引掛かって、稍傾いている。ホルダ（４）の周壁にディスク面が受けられるから、図８（ａ）に一点鎖線で示すように、ディスクＤはホルダ（４）内で傾いても、パネル（２）から脱落しない。
図８（ｂ）に示すように、ディスクＤは下端がストッパ（３）の受け片（３０）に受けられている。
【００１３】
パネルの閉じ動作
パネル（２）を手で閉じると、図９（ａ）に示すように、ホルダ（４）のポケット部（４０）がシャーシ（１）の第１凹面（１１）に当接する第１の位置に達する。ホルダ（４）はし、それ以上シャーシ（１）側に動くことを規制される。図９（ｂ）に示すように、ストッパ（３）の枢軸（３２）は、第２凹面（１２）内に位置する。シャーシ（１）上の突起（１０）は、ストッパ（３）の押され片（３１）に接近する。この状態で、ディスクＤがターンテーブル（６）の先端部に接近する。ディスクＤは下端がストッパ（３）に受けられており、ディスクＤの中心孔Ｄ１は、ターンテーブル（６）の先端部と、略同じ高さである。これにより、ディスクＤの中心孔Ｄ１にターンテーブル（６）が嵌まり易くなっている。
該第１の位置では、ポケット部（４０）がシャーシ（１）に接することにより、ディスクＤがターンテーブル（６）の先端部に接近した状態で、突起（１０）がストッパ（３）を未だ回動させない。
【００１４】
図１０（ａ）に示すように、パネル（２）を更に閉じる。ホルダ（４）がシャーシ（１）に接しているから、ホルダ（４）は動かない。パネル（２）は板バネ（５）に抗して押され、ホルダ（４）の爪片（４５）はパネル（２）から離れる。パネル（２）が更に閉じられることにより、クランパ（８）は円孔（４４）を通ってターンテーブル（６）に向かい、該クランパ（８）とターンテーブル（６）とよって、ディスクＤを挟持する。ロックレバー（１３）が鈎片（４７）に係合して、パネル（２）はシャーシ（１）にロックされる第２の位置に達する。
図１０（ｂ）に示すように、パネル（２）が更に閉じられることにより、シャーシ（１）上の突起（１０）がストッパ（３）の押され片（３１）を押し、ストッパ（３）を枢軸（３２）を中心に反時計方向に回動させる。受け片（３０）がディスクＤの下端から離れる。ディスクＤの中心孔Ｄ１がターンテーブル（６）のテーパ面（６０）に嵌まってから、受け片（３０）がディスクＤの下端から離れるのは、言うまでもない。これにより、ディスクＤは回転できる。
上記の如く、本例の装置にあっては、従来のように、ターンテーブル（６）のテーパ面（６０）を長くしなくても、ディスクＤをストッパ（３）から離して、ターンテーブル（６）に確実に装着できる。これにより、装置全体の前後幅を厚くすることを防ぐことができる。また、ディスクＤを手で直接ターンテーブル（６）に装着しなくてよいので、ディスクＤを装着する際に、ディスク信号面を傷つける虞れを防止できる。
【００１５】
パネル（２）を開くときは、パネル（２）とシャーシ（１）のロックを解除する。板バネ（５）の付勢力により、パネル（２）が稍開かれ、図９（ａ）に示す状態となる。ストッパ（３）の押され片（３１）と突起（１０）の当接が外れ、枢軸（３２）に嵌められたネジリバネによって受け片（３０）がディスクＤの下端に接する。ディスクＤはターンテーブル（６）から外れてもホルダ（４）から脱落しない。パネル（２）を手で開き、ホルダ（４）内のディスクＤを取り出すことができる。
【００１６】
尚、上記例では、シャーシ（１）にターンテーブル（６）を設け、パネル（２）にクランパ（８）を設けていた。しかし、シャーシ（１）にクランパ（８）を設け、パネル（２）にターンテーブル（６）を設けてもよい。
【００１７】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【図面の簡単な説明】
【図１】ディスク記録又は再生装置の斜視図であり、パネルが開いた状態を示す。
【図２】ディスク記録又は再生装置の斜視図であり、パネルが閉じた状態を夫々示す。
【図３】シャーシの前面を図１のＡ方向から見た図である。
【図４】パネルを図１のＢ方向、即ち裏側から見た図である。
【図５】パネルとストッパの斜視図である。
【図６】クランパの断面図である。
【図７】図５をＥ−Ｅ線を含む面にて破断した断面図である。
【図８】（ａ）、（ｂ）は、パネルの開き状態を示す断面図である。
【図９】（ａ）、（ｂ）は、パネルの閉じ状態を示す断面図である。
【図１０】（ａ）、（ｂ）は、パネルの閉じ状態を示す断面図である。
【図１１】従来のディスク記録又は再生装置の側面図である。
【図１２】従来のディスク記録又は再生装置の側面図であり、パネルの開き状態を示す。
【図１３】従来のディスク記録又は再生装置の側面図であり、パネルの閉じ状態を示す。
【図１４】ボールチャッキング構造を示す断面図である。
【符号の説明】
（１）    シャーシ
（２）    パネル
（３）    ストッパ
（４）    ホルダ
（６）    ターンテーブル
（１０）    突起
【図１】
2004272964.tif 000003
【図２】
2004272964.tif 000004
【図３】
2004272964.tif 000005
【図４】
2004272964.tif 000006
【図５】
2004272964.tif 000007
【図６】
2004272964.tif 000008
【図７】
2004272964.tif 000009
【図８】
2004272964.tif 000010
【図９】
2004272964.tif 000011
【図１０】
2004272964.tif 000012
【図１１】
2004272964.tif 000013
【図１２】
2004272964.tif 000014
【図１３】
2004272964.tif 000015
【図１４】
2004272964.tif 000016